(57)【要約】本発明は、携帯電話などのイメージ撮影が可能なモバイルデバイスでマークアップ文書を伝送する方法及び装置に係り、所定のコンテンツを表すマークアップ文書を固定部分及び変動部分で生成し、固定部分及び変動部分を分けて伝送して所定のマークアップ文書の印刷を要請する。これにより、モバイルデバイスがマークアップ文書全体の生成作業を行わなくても、プリンタでユーザーの所望するコンテンツを印刷可能にすることができる。【選択図】図３
2009533748.tif 000002
【特許請求の範囲】
【請求項１】
（ａ）所定のコンテンツを表すマークアップ文書を固定部分及び変動部分で生成するステップと、
（ｂ）前記生成された固定部分及び変動部分を分けて伝送して、前記マークアップ文書の印刷を要請するステップと、を含むことを特徴とするマークアップ文書伝送方法。
【請求項２】
前記固定部分は、前記マークアップ文書のレイアウトに該当する固定マークアップ部分であり、前記変動部分は、修正可能な前記マークアップ文書の変動属性値部分であることを特徴とする請求項１に記載のマークアップ文書伝送方法。
【請求項３】
前記（ａ）ステップは、前記マークアップ文書を含むＭＩＭＥ−Ｍｕｌｔｉｐｌｅｘｅｄ形態のデータを固定部分及び変動部分で生成することを特徴とする請求項１に記載のマークアップ文書伝送方法。
【請求項４】
マークアップテンプレートのうち、ユーザーが出力しようとするイメージレイアウトに対応するマークアップテンプレートを選択するステップを含み、
前記（ａ）ステップは、前記選択されたマークアップテンプレートのうち、固定部分を参照して前記固定部分を生成することを特徴とする請求項１に記載のマークアップ文書伝送方法。
【請求項５】
前記マークアップテンプレートに含まれた固定部分の数、変動部分の数、前記固定部分及び前記変動部分の配列順序を表す生成リスト及び前記固定部分それぞれを識別するための固定部分リストを参照して前記固定部分を生成することを特徴とする請求項４に記載のマークアップ文書伝送方法。
【請求項６】
マークアップテンプレートのうち、変動部分を調整し、前記調整を通じて前記マークアップ文書を生成するステップをさらに含み、
前記（ａ）ステップは、前記生成されたマークアップ文書から前記調整された変動部分を参照して前記変動部分を生成することを特徴とする請求項１に記載のマークアップ文書伝送方法。
【請求項７】
前記マークアップテンプレートに含まれた固定部分の数、変動部分の数、前記固定部分及び前記変動部分の配列順序を表す生成リスト及び前記変動部分それぞれを識別するための変動部分リストが記録されたフィールドを参照して前記変動部分を生成することを特徴とする請求項６に記載のマークアップ文書伝送方法。
【請求項８】
所定のコンテンツを表すマークアップ文書を固定部分及び変動部分で生成するステップと、
前記生成された固定部分及び変動部分を分けて伝送して、前記マークアップ文書の印刷を要請するステップと、を含むことを特徴とするマークアップ文書伝送方法をコンピュータで実行させるためのプログラムを記録したコンピュータで読み取り可能な記録媒体。
【請求項９】
所定のコンテンツを表すマークアップ文書を固定部分及び変動部分で生成する生成部と、
前記生成された固定部分及び変動部分を分けて伝送し、前記マークアップ文書の印刷を要請する伝送部と、を備えることを特徴とするマークアップ文書伝送装置。
【請求項１０】
（ａ）所定のコンテンツを表すマークアップ文書に含まれた固定部分及び変動部分をそれぞれ受信するステップと、
（ｂ）前記受信された固定部分及び変動部分を一つのマークアップ文書として解析するステップと、
（ｃ）前記解析された結果を印刷するステップと、を含むことを特徴とする印刷方法。
【請求項１１】
前記固定部分は、前記マークアップ文書のレイアウトに該当する固定マークアップ部分であり、前記変動部分は、修正可能な前記マークアップ文書の変動属性値部分であることを特徴とする請求項１０に記載の印刷方法。
【請求項１２】
前記（ａ）ステップは、前記マークアップ文書を含むＭＩＭＥ−Ｍｕｌｔｉｐｌｅｘｅｄ形態のデータのうち、固定部分及び変動部分をそれぞれ受信し、
前記ＭＩＭＥ−Ｍｕｌｔｉｐｌｅｘｅｄ形態のデータから、前記マークアップ文書に含まれた固定部分及び変動部分を除外した残りの部分を除去するステップをさらに含むことを特徴とする請求項１０に記載の印刷方法。
【請求項１３】
所定のコンテンツを表すマークアップ文書に含まれた固定部分及び変動部分をそれぞれ受信するステップと、
前記受信された固定部分及び変動部分を一つのマークアップ文書として解析するステップと、
前記解析された結果を印刷するステップと、を含むことを特徴とする印刷方法をコンピュータで実行させるためのプログラムを記録したコンピュータで読み取り可能な記録媒体。
【請求項１４】
所定のコンテンツを表すマークアップ文書に含まれた固定部分及び変動部分をそれぞれ受信する受信部と、
前記受信された固定部分及び変動部分を一つのマークアップ文書として解析する解析部と、
前記解析された結果を印刷する印刷エンジンと、を備えることを特徴とする印刷装置。
【請求項１５】
マークアップテンプレートに含まれた固定部分の数、変動部分の数、前記固定部分及び前記変動部分の配列順序を表す生成リストが記録されたフィールドと、
前記固定部分それぞれを識別するための固定部分リストが記録されたフィールドと、
前記変動部分それぞれを識別するための変動部分リストが記録されたフィールドと、を備えるデータ構造を記録したコンピュータで読み取り可能な記録媒体。
【請求項１６】
前記固定部分は、マークアップ文書のレイアウトに該当する固定マークアップ部分であり、前記変動部分は、修正可能な前記マークアップ文書の変動属性値部分であることを特徴とする請求項１５に記載のコンピュータで読み取り可能な記録媒体。
【請求項１７】
マークアップ文書を印刷するイメージ形成装置と通信するモバイルデバイスのイメージ印刷要請部において、
マークアップ文書と関連した情報をユーザーが入力できるように、前記マークアップ文書と関連した映像をディスプレイするディスプレイ部と、
前記入力された情報によって、固定部分及び前記入力された情報によって変動可能な変動部分に分けられたテンプレートを保存するテンプレート保存部と、
前記入力された情報から、決定されたコンテンツに対応するテンプレートのうち、いずれか一つを選択することによって、前記ディスプレイされたマークアップ文書のレイアウトを決定するコンテンツ決定部と、
前記決定されたコンテンツ及び前記入力情報によって、前記マークアップ文書に対して選択されたテンプレートの変動部分のレイアウトを調整するスタイル調整部と、
前記選択されたテンプレートの固定部分と前記調整された変動部分との分離により、イメージ形成装置に伝送される印刷データの固定部分と変動部分とを生成する伝送データ生成部と、
前記生成された固定部分及び変動部分を分けて伝送する伝送部と、を備えることを特徴とするイメージ印刷要請部。
【請求項１８】
前記テンプレートそれぞれは、基本情報、テンプレートデータ、生成リスト、固定部分リスト、及び変動部分リストを含む形態で保存されることを特徴とする請求項１７に記載のイメージ印刷要請部。
【請求項１９】
前記テンプレート保存部は、前記基本情報が記録されたフィールド、前記テンプレートデータが記録されたフィールド、前記生成リストが記録されたフィールド、前記固定部分リストが記録されたフィールド、及び前記変動部分リストが記録されたフィールドを備えるデータ構造を持つことを特徴とする請求項１８に記載のイメージ印刷要請部。
【請求項２０】
前記基本情報は、前記テンプレートそれぞれを識別するための情報に該当し、ユーザーの所望するレイアウトを選択できるようにユーザーに提供されるテンプレートＩＤ、テンプレート名称、及びテンプレート説明を含むことを特徴とする請求項１８に記載のイメージ印刷要請部。
【請求項２１】
前記テンプレートデータは、前記伝送データ生成部により使われるデータ及び前記固定部分及び変動部分が含まれたテンプレートのデータを含むことを特徴とする請求項１８に記載のイメージ印刷要請部。
【請求項２２】
前記テンプレートデータは、ＸＨＴＭＬ−ＰＲＩＮＴ文書及びＭＩＭＥ−Ｍｕｌｔｉｐｌｅｘｅｄプロトコルに要求されるメタデータを含むＭＩＭＥ−Ｍｕｌｔｉｐｌｅｘｅｄ形態のＸＨＴＭＬ−ＰＲＩＮＴデータを含むことを特徴とする請求項２１に記載のイメージ印刷要請部。
【請求項２３】
前記生成リストは、前記テンプレートに含まれた固定部分の数、変動部分の数、固定部分及び変動部分の配列順序を表す情報を含むことを特徴とする請求項１８に記載のイメージ印刷要請部。
【請求項２４】
前記固定部分リストは、前記テンプレートに含まれた固定部分それぞれを識別するための情報を含むことを特徴とする請求項１８に記載のイメージ印刷要請部。
【請求項２５】
前記変動部分リストは、前記テンプレートに含まれた変動部分それぞれを識別するための情報を含むことを特徴とする請求項１８に記載のイメージ印刷要請部。
【請求項２６】
前記コンテンツ決定部は、ユーザーにより入力された値によって決定することを特徴とする請求項１７に記載のイメージ印刷要請部。
【請求項２７】
前記固定部分は、前記コンテンツのレイアウトに該当する固定マークアップ部分であり、前記変動部分は、ユーザーにより修正可能な前記マークアップ文書の変動属性値部分であることを特徴とする請求項１７に記載のイメージ印刷要請部。
【請求項２８】
前記モバイルデバイスは、携帯電話、カメラ、及び／またはメディアプレーヤーを含むことを特徴とする請求項２７に記載のイメージ印刷要請部。
【請求項２９】
請求項２７に記載のイメージ印刷要請部と、前記イメージ印刷要請部と通信するイメージ形成装置と、を備えるネットワーク印刷機能を提供するシステム。
【発明の詳細な説明】
【技術分野】
【０００１】
本発明は、携帯電話などのイメージ撮影の可能なモバイルデバイスでマークアップ文書を伝送する方法及び装置に関する。
【背景技術】
【０００２】
最近、携帯電話のようなモバイルデバイスを利用して、ユーザーが撮影した写真を遠隔地に位置したプリンタで印刷する技術が急速に発展しつつある。特に、過去にはプリンタでモバイルデバイスから伝送された単純な形態の写真のみが印刷できたが、最近にはＸＨＴＭＬ（Ｅｘｔｅｎｓｉｂｌｅ Ｈｙｐｅｒｔｅｘｔ Ｍａｒｋｕｐ Ｌａｎｇｕａｇｅ）−ＰＲＩＮＴのように、ユーザーにより指定されたいろいろな形態のレイアウトと、色々な情報で構成されたコンテンツとを印刷できる技術が登場している。ＸＨＴＭＬ−ＰＲＩＮＴ規格についての詳細な内容は、ｈｔｔｐ：／／ｗｗｗ．ｗ３．ｏｒｇ／ＴＲ／ｘｈｔｍｌ−ｐｒｉｎｔ／に記載されている。
【０００３】
図１は、従来のモバイルデバイスを利用したコンテンツ印刷方法のフローチャートである。
【０００４】
図１を参照すれば、従来のモバイルデバイスを利用したコンテンツ印刷方法は、次のようなステップで構成される。
【０００５】
１１ステップで、ユーザーは、出力しようとするメニューを選択する。１２ステップで、ユーザーは、出力しようとするレイアウトを選択する。１３ステップで、ユーザーは、出力しようとするコンテンツを選択する。１４ステップで、ユーザーは、１２ステップで選択されたレイアウトを調整する。１１ステップから１４ステップまでの過程は、ユーザーインターフェースに該当する部分である。
【０００６】
１５ステップで、モバイルデバイスは、１１ステップから１４ステップまでのユーザー選択に基づいてＸＨＴＭＬ−ＰＲＩＮＴ文書を生成する。１６ステップで、モバイルデバイスは、１５ステップで生成されたＸＨＴＭＬ−ＰＲＩＮＴ文書を含むＭＩＭＥ（Ｍｕｌｔｉｐｕｒｐｏｓｅ Ｉｎｔｅｒｎｅｔ Ｍａｉｌ Ｅｘｔｅｎｓｉｏｎｓ）−Ｍｕｌｔｉｐｌｅｘｅｄ形態のＸＨＴＭＬ−ＰＲＩＮＴデータを生成する。１５ステップから１６ステップまでの過程は、コンテンツ生成に該当する部分である。
【０００７】
１７ステップで、モバイルデバイスは、１６ステップで生成されたＭＩＭＥ−Ｍｕｌｔｉｐｌｅｘｅｄ形態のＸＨＴＭＬ−ＰＲＩＮＴデータをプリンタに伝送する。１８ステップで、プリンタは、ＭＩＭＥ−Ｍｕｌｔｉｐｌｅｘｅｄ形態のＸＨＴＭＬ−ＰＲＩＮＴデータを受信する。１９ステップで、プリンタは、ＭＩＭＥ−Ｍｕｌｔｉｐｌｅｘｅｄ形態のＸＨＴＭＬ−ＰＲＩＮＴデータを解析する。２０ステップで、プリンタは、１９ステップで解析された結果であるＸＨＴＭＬ−ＰＲＩＮＴ文書のレンダリングデータを印刷する。１７ステップから２０ステップまでの過程は、コンテンツ伝送及び出力に該当する部分である。
【０００８】
図２は、従来の伝送データの生成過程を示す図面である。
図２を参照すれば、参照番号２１に該当するデータは、１１ステップから１３ステップまでのユーザー選択によって生成されたＸＨＴＭＬ−ＰＲＩＮＴ文書である。次いで、参照番号２２に該当するデータは、１４ステップでのユーザー操作によってスタイル属性値などが調整されたＸＨＴＭＬ−ＰＲＩＮＴ文書である。次いで、参照番号２３に該当するデータは、ＸＨＴＭＬ−ＰＲＩＮＴ文書を含むＭＩＭＥ−Ｍｕｌｔｉｐｌｅｘｅｄ形態のＸＨＴＭＬ−ＰＲＩＮＴデータである。次いで、参照番号２４に該当するデータは、ＭＩＭＥ−Ｍｕｌｔｉｐｌｅｘｅｄ形態のＸＨＴＭＬ−ＰＲＩＮＴデータをパケットのような伝送単位で分割したものである。
【発明の開示】
【発明が解決しようとする課題】
【０００９】
しかしながら、ＭＩＭＥ−Ｍｕｌｔｉｐｌｅｘｅｄ形態のＸＨＴＭＬ−ＰＲＩＮＴデータが既に生成された状態で、ユーザーがレイアウトを変更したり、イメージを交替した場合に、ＭＩＭＥ−Ｍｕｌｔｉｐｌｅｘｅｄ形態のＸＨＴＭＬ−ＰＲＩＮＴデータを再び生成せねばならないが、これは、メモリ資源などのいろいろな形態の資源が足りなく、ハードウェアの仕様の低いモバイルデバイスに相当な負担として作用するという問題点があった。特に、ＭＩＭＥ−Ｍｕｌｔｉｐｌｅｘｅｄ形態のＸＨＴＭＬ−ＰＲＩＮＴデータは、イメージなどの大容量データを含むため、ＭＩＭＥ−Ｍｕｌｔｉｐｌｅｘｅｄ形態のＸＨＴＭＬ−ＰＲＩＮＴデータを生成する自体が、モバイルデバイスに大容量のメモリ資源を要求するという問題点があった。
【課題を解決するための手段】
【００１０】
本発明が解決しようとする技術的課題は、メモリ資源などのいろいろな形態の資源が足りなく、低仕様のハードウェアを持つモバイルデバイスでも、円滑にユーザーが出力しようとするコンテンツを表すＸＨＴＭＬ−ＰＲＩＮＴ文書を伝送可能にする方法及び装置を提供するところにある。
【００１１】
また、本発明は前記方法をコンピュータで実行させるためのプログラムを記録したコンピュータで読み取り可能な記録媒体を提供するところにある。
【００１２】
前記技術的課題を解決するための本発明によるマークアップ文書伝送方法は、所定のコンテンツを表すマークアップ文書を固定部分及び変動部分で生成するステップと、前記生成された固定部分及び変動部分を分けて伝送して、前記マークアップ文書の印刷を要請するステップと、を含む。
【００１３】
前記他の技術的課題を解決するために、本発明は、前記マークアップ文書伝送方法をコンピュータで実行させるためのプログラムを記録したコンピュータで読み取り可能な記録媒体を提供する。
【００１４】
前記さらに他の技術的課題を解決するための本発明によるマークアップ文書伝送装置は、所定のコンテンツを表すマークアップ文書を固定部分及び変動部分で生成する生成部と、前記生成された固定部分及び変動部分を分けて伝送し、前記マークアップ文書の印刷を要請する伝送部と、を備える。
【００１５】
前記さらに他の技術的課題を解決するための本発明による印刷方法は、所定のコンテンツを表すマークアップ文書に含まれた固定部分及び変動部分をそれぞれ受信するステップと、前記受信された固定部分及び変動部分を一つのマークアップ文書として解析するステップと、前記解析された結果を印刷するステップと、を含む。
【００１６】
前記さらに他の技術的課題を解決するために、本発明は、前記印刷方法をコンピュータで実行させるためのプログラムを記録したコンピュータで読み取り可能な記録媒体を提供する。
【００１７】
前記さらに他の技術的課題を解決するための本発明による印刷装置は、所定のコンテンツを表すマークアップ文書に含まれた固定部分及び変動部分をそれぞれ受信する受信部と、前記受信された固定部分及び変動部分を一つのマークアップ文書として解析する解析部と、前記解析された結果を印刷する印刷エンジンと、を備える。
【００１８】
前記さらに他の技術的課題を解決するために、本発明は、マークアップテンプレートに含まれた固定部分の数、変動部分の数、前記固定部分及び前記変動部分の配列順序を表す生成リストが記録されたフィールドと、前記固定部分それぞれを識別するための固定部分リストが記録されたフィールドと、前記変動部分それぞれを識別するための変動部分リストが記録されたフィールドと、を備えるデータ構造を記録したコンピュータで読み取り可能な記録媒体を提供する。
【発明の効果】
【００１９】
本発明によれば、モバイルデバイスで所定のコンテンツを表すＸＨＴＭＬ−ＰＲＩＮＴ文書を固定部分及び変動部分に分離して生成し、この固定部分及び変動部分を分けて伝送して、モバイルデバイスがＭＩＭＥ−Ｍｕｌｔｉｐｌｅｘｅｄ形態のＸＨＴＭＬ−ＰＲＩＮＴデータ全体の生成作業を行わなくても、プリンタでユーザーの所望するコンテンツを印刷可能にすることができる。また、本発明によれば、ユーザーがレイアウトを変更するか、イメージを交替した場合にも、これに該当する変動部分を生成して別途に伝送すればよいため、再びＭＩＭＥ−Ｍｕｌｔｉｐｌｅｘｅｄ形態のＸＨＴＭＬ−ＰＲＩＮＴデータ全体を生成する必要がなくなった。これにより、メモリ資源などいろいろな形態の資源が足りなく、ハードウェアの仕様の低いモバイルデバイスでも円滑にユーザーが出力しようとするコンテンツを表すＸＨＴＭＬ−ＰＲＩＮＴ文書を伝送できる。
【発明を実施するための最良の形態】
【００２０】
以下、図面を参照して本発明の望ましい実施形態を詳細に説明する。
図３は、本発明の望ましい一実施形態によるイメージ印刷システムの構成図である。
図３を参照すれば、本実施形態によるモバイルデバイス３１内のイメージ印刷要請装置は、ディスプレイ部３１１、ユーザーインターフェース３１２、イメージ保存部３１３、ＸＨＴＭＬ−ＰＲＩＮＴテンプレート保存部３１４、ＸＨＴＭＬ−ＰＲＩＮＴコンテンツ決定部３１５、ＸＨＴＭＬ−ＰＲＩＮＴスタイル調整部３１６、伝送データ生成部３１７及び伝送部３１８で構成される。
【００２１】
ディスプレイ部３１１は、ユーザーにＸＨＴＭＬ−ＰＲＩＮＴ文書に関連した映像を出力する。
【００２２】
ユーザーインターフェース３１２は、ディスプレイ部３１１により出力された映像を認知したユーザーから、ＸＨＴＭＬ（Ｅｘｔｅｎｓｉｂｌｅ Ｈｙｐｅｒｔｅｘｔ Ｍａｒｋｕｐ Ｌａｎｇｕａｇｅ）−ＰＲＩＮＴ文書に関連した情報を入力される。
【００２３】
イメージ保存部３１３は、ユーザーがモバイルデバイス３１を利用して撮影した複数のイメージまたは外部デバイスから受信した複数のイメージを保存する。
【００２４】
ＸＨＴＭＬ−ＰＲＩＮＴテンプレート保存部３１４は、パノマラレイアウト設定部３１５により設定可能なレイアウトそれぞれに対応する多様なＸＨＴＭＬ−ＰＲＩＮＴテンプレートを保存する。特に、本実施形態によれば、ＸＨＴＭＬ−ＰＲＩＮＴテンプレート保存部３１４は、ＸＨＴＭＬ−ＰＲＩＮＴによるマークアップ文書の形式で作成されたＸＨＴＭＬ−ＰＲＩＮＴテンプレートを保存する。ＸＨＴＭＬ−ＰＲＩＮＴ規格についての詳細な内容は、ｈｔｔｐ：／／ｗｗｗ．ｗ３．ｏｒｇ／ＴＲ／ｘｈｔｍｌ−ｐｒｉｎｔ／に記載されている。以下で記述されるマークアップ文書はＸＨＴＭＬ−ＰＲＩＮＴ文書であるが、他の形式のマークアップ文書も適用できるということを、当業者ならば理解できるであろう。
【００２５】
図４は、本発明の望ましい一実施形態によるＸＨＴＭＬ−ＰＲＩＮＴテンプレートの保存形態を示す図面である。
【００２６】
図４を参照すれば、一つのＸＨＴＭＬ−ＰＲＩＮＴテンプレートは、ＸＨＴＭＬ−ＰＲＩＮＴテンプレートの基本情報４１、ＸＨＴＭＬ−ＰＲＩＮＴテンプレートデータ４２、ＸＨＴＭＬ−ＰＲＩＮＴ生成リスト４３、固定部分リスト４４、及び変動部分リスト４５の形態で保存される。すなわち、ＸＨＴＭＬ−ＰＲＩＮＴテンプレート保存部３１４は、ＸＨＴＭＬ−ＰＲＩＮＴテンプレートの基本情報４１が記録されたフィールド、ＸＨＴＭＬ−ＰＲＩＮＴテンプレートデータ４２が記録されたフィールド、ＸＨＴＭＬ−ＰＲＩＮＴ生成リスト４３が記録されたフィールド、固定部分リスト４４が記録されたフィールド、及び変動部分リスト４５が記録されたフィールドで構成されたデータ構造を持つ。
【００２７】
ＸＨＴＭＬ−ＰＲＩＮＴテンプレートの基本情報４１は、ＸＨＴＭＬ−ＰＲＩＮＴテンプレートそれぞれを識別するための情報に該当するテンプレートＩＤ、テンプレート名称、及びテンプレート説明で構成される。これらは、ユーザーの所望するレイアウトを選択できるようにユーザーに提供される基本的なデータである。特に、テンプレート説明は、テキスト形態のデータだけではなくイメージ形態の輪郭的な態様にもなりうる。
【００２８】
ＸＨＴＭＬ−ＰＲＩＮＴテンプレートデータ４２は、伝送データ生成部３１７により使われるデータであって、スタイルを指定できるマークアップ文書であるＸＨＴＭＬ−ＰＲＩＮＴ文書のレイアウトに該当する固定部分、及びユーザーにより修正可能なＸＨＴＭＬ−ＰＲＩＮＴ文書の変動属性値に該当する変動部分で構成されたＸＨＴＭＬ−ＰＲＩＮＴテンプレートのデータである。ＸＨＴＭＬ−ＰＲＩＮＴ文書の変動属性値にはデフォルト（ｄｅｆａｕｌｔ）値が記録されている。特に、ＸＨＴＭＬ−ＰＲＩＮＴテンプレートデータ４２は、ＸＨＴＭＬ−ＰＲＩＮＴ文書及びＭＩＭＥ−Ｍｕｌｔｉｐｌｅｘｅｄプロトコルに要求されるメタデータを含むＭＩＭＥ−Ｍｕｌｔｉｐｌｅｘｅｄ形態のＸＨＴＭＬ−ＰＲＩＮＴデータである。ただし、ＸＨＴＭＬ−ＰＲＩＮＴテンプレートデータ４２は、ＸＨＴＭＬ−ＰＲＩＮＴ文書に関するデータのみを含むこともある。
【００２９】
ＸＨＴＭＬ−ＰＲＩＮＴ生成リスト４３は、ＸＨＴＭＬ−ＰＲＩＮＴテンプレートに含まれた固定部分の数、変動部分の数、固定部分及び変動部分の配列順序を表す情報である。固定部分リスト４４は、ＸＨＴＭＬ−ＰＲＩＮＴテンプレートに含まれた固定部分それぞれを識別するための情報である。変動部分リスト４５は、ＸＨＴＭＬ−ＰＲＩＮＴテンプレートに含まれた変動部分それぞれを識別するための情報である。
【００３０】
図５は、従来のＭＩＭＥ−Ｍｕｌｔｉｐｌｅｘｅｄ形態のＸＨＴＭＬ−ＰＲＩＮＴデータを示す図面である。
【００３１】
図５を参照すれば、従来のＭＩＭＥ−Ｍｕｌｔｉｐｌｅｘｅｄ形態のＸＨＴＭＬ−ＰＲＩＮＴデータは、“ｍａｒｇｉｎ：０ｉｎ”での“０”、“ｃａｓｔｌｅ．ｊｐｇ”のように変動属性値に該当する変動部分、及び残りの固定マークアップコンテンツに該当する固定部分に区分できる。特に、図５で太い文字で表示された部分は、ＭＩＭＥ−Ｍｕｌｔｉｐｌｅｘｅｄコンテンツヘッダを表すが、これも固定部分及び変動部分に区分できる。本実施形態によれば、前記固定部分及び変動部分はプリンタ３２に分割して伝送され、固定部分及び変動部分を容易に分割して伝送可能にするために、図４に示したＸＨＴＭＬ−ＰＲＩＮＴテンプレートの保存形態が提案された。
【００３２】
図６は、本発明の望ましい一実施形態によるＭＩＭＥ−Ｍｕｌｔｉｐｌｅｘｅｄ形態のテンプレートデータを示す図面である。
【００３３】
図６を参照すれば、本実施形態によるＭＩＭＥ−Ｍｕｌｔｉｐｌｅｘｅｄ形態のテンプレートデータは、図５に示したＭＩＭＥ−Ｍｕｌｔｉｐｌｅｘｅｄ形態のＸＨＴＭＬ−ＰＲＩＮＴデータを参照して、ＭＩＭＥ−Ｍｕｌｔｉｐｌｅｘｅｄ形態のＸＨＴＭＬ−ＰＲＩＮＴデータの生成順序リストを作成すれば、次の通りである。“固定部分数”は５、“変動部分数”は４、“生成順序ＩＤリスト”は、固定部分１−変動部分１−固定部分２−変動部分２−固定部分３−変動部分３−固定部分４−変動部分４−固定部分５になる。
【００３４】
また、図５に示したＭＩＭＥ−Ｍｕｌｔｉｐｌｅｘｅｄ形態のＸＨＴＭＬ−ＰＲＩＮＴデータを参照して固定部分リスト４４を作成すれば、４個の固定部分のリストが作成され、変動部分リスト４５を作成すれば、３個の変動部分リストが作成されうる。特に、変動部分３と変動部分５とは、イメージのデータを直接指定する部分であって、前記変動部分リスト４５で変動部分データタイプを“Ｉｍａｇｅ”と記録でき、ユーザーが出力しようとするコンテンツと、ＸＨＴＭＬ−ＰＲＩＮＴテンプレートに割り当てられたイメージ空間とのサイズが一致しない場合には、開始オフセットとデータ長を無視し、伝送データ生成部３１７は、ユーザーにより入力された値によって新たなサイズのチャンク（ｃｈｕｎｋ）を生成することもある。
【００３５】
図７は、従来のシンプルＸＨＴＭＬ−ＰＲＩＮＴ文書を示す図面である。
図７に示したシンプルＸＨＴＭＬ−ＰＲＩＮＴ文書の場合にも、固定部分及び変動部分に区分された本実施形態によるＸＨＴＭＬ−ＰＲＩＮＴテンプレート文書の形式で表示すれば、図８と同じである。
【００３６】
図８は、本発明の望ましい一実施形態によるシンプルＸＨＴＭＬ−ＰＲＩＮＴテンプレートを示す図面である。
【００３７】
図８を参照すれば、図６に示したシンプルＸＨＴＭＬ−ＰＲＩＮＴ文書を参照してシンプルＸＨＴＭＬ−ＰＲＩＮＴデータの生成順序リストを作成すれば、次の通りである。“固定部分数”は４、“変動部分数”は３、“生成順序ＩＤリスト”は、固定部分１−変動部分１−固定部分２−変動部分２−固定部分３−変動部分３−固定部分４となる。また、図６に示したシンプルＸＨＴＭＬ−ＰＲＩＮＴデータを参照して固定部分リスト４４を作成すれば、４個の固定部分のリストが作成され、変動部分リスト４５を作成すれば、３個の変動部分リストが作成される。
【００３８】
図９は、従来のＦｉｔ−Ｗｈｏｌｅ（Ｍａｔｃｈ Ｗｉｄｔｈ）ＰＲＩＮＴ形態のＸＨＴＭＬ−ＰＲＩＮＴ文書を示す図面である。
【００３９】
図１０は、本発明の望ましい一実施形態によるＦｉｔ−Ｗｈｏｌｅ（Ｍａｔｃｈ Ｗｉｄｔｈ）ＰＲＩＮＴ形態のＸＨＴＭＬ−ＰＲＩＮＴテンプレートを示す図面である。
【００４０】
図１１は、従来のＦｉｔ−ａｎｄ Ｃｒｏｐ（Ｍａｔｃｈ Ｈｅｉｇｈｔ）ＰＲＩＮＴ形態のＸＨＴＭＬ−ＰＲＩＮＴ文書を示す図面である。
【００４１】
図１２は、本発明の望ましい一実施形態によるＦｉｔ−ａｎｄ Ｃｒｏｐ（Ｍａｔｃｈ Ｈｅｉｇｈｔ）ＰＲＩＮＴ形態のＸＨＴＭＬ−ＰＲＩＮＴテンプレートを示す図面である。
【００４２】
図１３は、従来のＦｉｔ−ａｎｄ Ｃｒｏｐ（Ｍａｔｃｈ Ｗｉｄｔｈ）ＰＲＩＮＴ形態のＸＨＴＭＬ−ＰＲＩＮＴ文書を示す図面である。
【００４３】
図１４は、本発明の望ましい一実施形態によるＦｉｔ−ａｎｄ Ｃｒｏｐ（Ｍａｔｃｈ Ｗｉｄｔｈ）ＰＲＩＮＴ形態のＸＨＴＭＬ−ＰＲＩＮＴテンプレートを示す図面である。
【００４４】
図９ないし図１４を参照すれば、図５ないし図８と同じく、従来形態のＸＨＴＭＬ−ＰＲＩＮＴ文書を、本実施形態による形態のＸＨＴＭＬ−ＰＲＩＮＴテンプレートで表示できるということが分かる。特に、前記のようなデータ構造の形式でＸＨＴＭＬ−ＰＲＩＮＴテンプレートがＸＨＴＭＬ−ＰＲＩＮＴテンプレート保存部３１４に保存されることによって、従来のようにＸＨＴＭＬ−ＰＲＩＮＴデータの全体を生成しなくても、ＸＨＴＭＬ−ＰＲＩＮＴデータは、固定部分または変動部分単位で容易に分離されて伝送される。
【００４５】
ＸＨＴＭＬ−ＰＲＩＮＴコンテンツ決定部３１５は、ユーザーにより、ユーザーインターフェース３１２に入力された値によって、ＸＨＴＭＬ−ＰＲＩＮＴテンプレート保存部３１４に保存されたＸＨＴＭＬ−ＰＲＩＮＴテンプレートのうち、ユーザーが出力しようとするコンテンツレイアウトに対応するＸＨＴＭＬ−ＰＲＩＮＴテンプレートを選択することによって、ユーザーが出力しようとするレイアウトを決定する。また、ＸＨＴＭＬ−ＰＲＩＮＴコンテンツ決定部３１５は、ＸＨＴＭＬ−ＰＲＩＮＴテンプレートにユーザーが指定したイメージのソース属性値を記録することによって、ユーザーが出力しようとするレイアウトに対応する少なくとも一つ以上のイメージを決定し、ＸＨＴＭＬ−ＰＲＩＮＴテンプレートにユーザーが入力したテキストを記録することによって、ユーザーが出力しようとするレイアウトに対応する少なくとも一つ以上のテキストを決定する。すなわち、ＸＨＴＭＬ−ＰＲＩＮＴコンテンツ決定部３１５は、このような決定を通じてＸＨＴＭＬ−ＰＲＩＮＴ文書のコンテンツを決定する。
【００４６】
さらに詳細に説明すれば、ＸＨＴＭＬ−ＰＲＩＮＴコンテンツ決定部３１５は、ＸＨＴＭＬ−ＰＲＩＮＴテンプレート保存部３１４に保存されたＸＨＴＭＬ−ＰＲＩＮＴテンプレートを表すＩＤのようなＸＨＴＭＬ−ＰＲＩＮＴテンプレートの基本情報４１を利用して、ＸＨＴＭＬ−ＰＲＩＮＴテンプレート保存部３１４に保存されたＸＨＴＭＬ−ＰＲＩＮＴテンプレートのうち、ユーザーが指定したレイアウトに対応するＸＨＴＭＬ−ＰＲＩＮＴテンプレートを選択できる。
【００４７】
前記のように、ＸＨＴＭＬ−ＰＲＩＮＴテンプレートは、固定部分及び変動部分に区分される。特に、固定部分は、ＸＨＴＭＬ−ＰＲＩＮＴ文書のレイアウトに該当する固定マークアップ部分であり、変動部分は、ユーザーにより修正可能なＸＨＴＭＬ−ＰＲＩＮＴ文書の変動属性値部分である。また、本実施形態で使われるテンプレートは、そのレイアウトの種類によって、Ｐｌａｉｎ ＰＲＩＮＴ Ｔｅｍｐｌａｔｅ、Ｆｉｔ−Ｗｈｏｌｅ（Ｍａｔｃｈ Ｗｉｄｔｈ）ＰＲＩＮＴ Ｔｅｍｐｌａｔｅ、Ｆｉｔ−Ｗｈｏｌｅ（Ｍａｔｃｈ Ｈｅｉｇｈｔ）ＰＲＩＮＴ Ｔｅｍｐｌａｔｅ、Ｆｉｔ−ａｎｄ Ｃｒｏｐ（Ｍａｔｃｈ Ｗｉｄｔｈ）ＰＲＩＮＴ Ｔｅｍｐｌａｔｅ、Ｆｉｔ−ａｎｄ Ｃｒｏｐ（Ｍａｔｃｈ Ｈｅｉｇｈｔ）ＰＲＩＮＴ Ｔｅｍｐｌａｔｅのような単一イメージで以ってレイアウトを構成するテンプレートと、ＩｎｄｅｘＰＲＩＮＴｉｎｇＴｅｍｐｌａｔｅ、ＣｌｏｎｅＰＲＩＮＴｉｎｇＴｅｍｐｌａｔｅのように複数のイメージで以ってレイアウトを構成できるテンプレートとがある。
【００４８】
ＸＨＴＭＬ−ＰＲＩＮＴスタイル調整部３１６は、ユーザーによりユーザーインターフェース３１２に入力された値によって、ＸＨＴＭＬ−ＰＲＩＮＴコンテンツ決定部３１５により決定されたコンテンツを表すＸＨＴＭＬ−ＰＲＩＮＴ文書のスタイル属性値を調整することによって、ＸＨＴＭＬ−ＰＲＩＮＴコンテンツ決定部３１５により決定されたコンテンツを表すＸＨＴＭＬ−ＰＲＩＮＴ文書のスタイル、例えば、レイアウトを細部的に調整する。また、ＸＨＴＭＬ−ＰＲＩＮＴスタイル調整部３１６は、このような調整を通じてユーザーが出力しようとするコンテンツを表すＸＨＴＭＬ−ＰＲＩＮＴ文書を生成する。
【００４９】
本実施形態で使われるスタイル属性値には、ＸＨＴＭＬ−ＰＲＩＮＴテンプレートにより使われるイメージ及びテキストの位置（Ｐｏｓｉｔｉｏｎ）、サイズ（Ｓｉｚｅ）、回転（Ｒｏｔａｔｉｏｎ）のようなマークアップタグの属性値が含まれる。例えば、ＸＨＴＭＬ−ＰＲＩＮＴスタイル調整部３１６は、Ｐｌａｉｎ ＰＲＩＮＴテンプレートを利用してＸＨＴＭＬ−ＰＲＩＮＴコンテンツ決定部３１５により決定された少なくとも一つ以上のイメージに対して、水平移動、垂直移動、サイズ調整のような細部的調整を行うことができる。
【００５０】
伝送データ生成部３１７は、ＸＨＴＭＬ−ＰＲＩＮＴスタイル調整部３１６により調整されたスタイルを持つＸＨＴＭＬ−ＰＲＩＮＴ文書を利用して、プリンタ３２に伝送するデータを生成する。特に、本実施形態によれば、伝送データ生成部３１７は従来とは異なってプリンタ３２に伝送するデータ全体を一度に生成せず、固定部分及び変動部分に分離して生成する。
【００５１】
さらに詳細に説明すれば、伝送データ生成部３１７は、ＸＨＴＭＬ−ＰＲＩＮＴテンプレート保存部３１４に保存されたＸＨＴＭＬ−ＰＲＩＮＴ生成リスト４３及び固定部分リスト４４を参照して、ＸＨＴＭＬ−ＰＲＩＮＴテンプレート保存部３１４に保存されたＸＨＴＭＬ−ＰＲＩＮＴテンプレートデータ４２から固定部分を分離することによって、プリンタ３２に伝送するＸＨＴＭＬ−ＰＲＩＮＴデータのうち、固定部分を生成する。また、伝送データ生成部３１７は、ＸＨＴＭＬ−ＰＲＩＮＴテンプレート保存部３１４に保存されたＸＨＴＭＬ−ＰＲＩＮＴ生成リスト４３及び変動部分リスト４５を参照して、ＸＨＴＭＬ−ＰＲＩＮＴスタイル調整部３１６により生成されたＸＨＴＭＬ−ＰＲＩＮＴ文書から、ＸＨＴＭＬ−ＰＲＩＮＴスタイル調整部３１６により調整された変動部分、すなわち、スタイル属性値を分離することによって変動部分を生成する。
【００５２】
このように、ＭＩＭＥ−Ｍｕｌｔｉｐｌｅｘｅｄ形態のＸＨＴＭＬ−ＰＲＩＮＴデータ全体の生成作業を行わなくても、固定部分及び変動部分を分離して生成するだけでプリンタ３２に伝送するＸＨＴＭＬ−ＰＲＩＮＴデータの生成を完了する。特に、ユーザーがレイアウトを変更したり、イメージを交替した場合にも、これに該当する変動部分のみを再び生成すればよいため、再びＭＩＭＥ−Ｍｕｌｔｉｐｌｅｘｅｄ形態のＸＨＴＭＬ−ＰＲＩＮＴデータ全体を生成する必要がない。
【００５３】
ＭＩＭＥ−Ｍｕｌｔｉｐｌｅｘｅｄ形態のＸＨＴＭＬ−ＰＲＩＮＴデータは、ＸＨＴＭＬ−ＰＲＩＮＴ文書及びこれに伴うイメージなどが共に伝送され、これにより、データ伝送速度が速いという長所はあるが、プリンタ３２がこれを支援せねばならない。もし、プリンタ３２がＭＩＭＥ−Ｍｕｌｔｉｐｌｅｘｅｄ形態のＸＨＴＭＬ−ＰＲＩＮＴデータの処理を支援しなければ、伝送データ生成部３１７は、ＸＨＴＭＬ−ＰＲＩＮＴ文書に含まれた固定部分及び変動部分のみを分離して生成することもある。
【００５４】
伝送部３１８は、伝送データ生成部３１７により生成された伝送データ、すなわち、分離して生成された固定部分及び変動部分をプリンタ３２に分けて伝送して、ユーザーが出力しようとするマークアップ文書の印刷を要請する。特に、伝送部３１８は、赤外線通信、ブルートゥース通信、ＩＥＥＥ ８０２．１１規格上の無線ＬＡＮ通信などの無線通信媒体または有線通信媒体のような多様な通信媒体を利用して送受信でき、モバイルデバイス３１とプリンタ３２間の通信に適用されるプロトコルまたはミドルウェアによって、パケットまたはブロックのような単位で伝送データを分割して伝送できるということを、当業者ならば、理解できるであろう。
【００５５】
図３を参照すれば、本実施形態によるプリンタ３２内のイメージ印刷装置は、受信部３２１、ＸＨＴＭＬ−ＰＲＩＮＴ文書解析部３２２、及び印刷エンジン３２３で構成される。
受信部３２１は、モバイルデバイス３１からＸＨＴＭＬ−ＰＲＩＮＴ文書を含むＭＩＭＥ−Ｍｕｌｔｉｐｌｅｘｅｄ形態のデータに含まれた固定部分及び変動部分をそれぞれ受信する。この場合、受信部３２１は、ＭＩＭＥ−Ｍｕｌｔｉｐｌｅｘｅｄ形態のデータ伝送のために追加的なマークアップが挿入されたり、データ伝送に適用されたプロトコルのためのメタデータが挿入されたＭＩＭＥ−Ｍｕｌｔｉｐｌｅｘｅｄ形態のデータから、ＸＨＴＭＬ−ＰＲＩＮＴ文書を除外した残りの部分を削除する。これにより、ＸＨＴＭＬ−ＰＲＩＮＴ文書解析部３２２にはＸＨＴＭＬ−ＰＲＩＮＴ文書のみ伝えられる。そうでなければ、受信部３２１は、ＸＨＴＭＬ−ＰＲＩＮＴ文書に含まれた固定部分及び変動部分を受信することもある。
【００５６】
ＸＨＴＭＬ−ＰＲＩＮＴ文書解析部３２２は、受信部３２１を通じてモバイルデバイス３１から受信された固定部分及び変動部分を、一つのＸＨＴＭＬ−ＰＲＩＮＴ文書として解析することによって、印刷エンジン３２３に出力できる形態のレンダリングデータを生成する。本実施形態でＸＨＴＭＬ−ＰＲＩＮＴ文書の解析は、ＸＨＴＭＬ−ＰＲＩＮＴ文書をパージング及びレンダリングするあらゆる過程を意味し、ＸＨＴＭＬ−ＰＲＩＮＴ文書のレンダリングデータは、これらのあらゆる過程を経て出力されたデータ、すなわち、プリンタまたはディスプレイ装置により直ちに出力されうる形態のＲＧＢデータを意味する。
【００５７】
印刷エンジン３２３は、ＸＨＴＭＬ−ＰＲＩＮＴ文書解析部３２１により解析された結果であるＸＨＴＭＬ−ＰＲＩＮＴ文書のレンダリングデータを印刷用紙に印刷する。
【００５８】
図１５は、本発明の望ましい一実施形態によるコンテンツ印刷要請方法のフローチャートである。
【００５９】
図１５を参照すれば、本実施形態によるコンテンツ印刷要請方法は、図３に示したモバイルデバイス３１で時系列的に処理されるステップで構成される。したがって、以下、省略された内容であっても、図３に示したモバイルデバイス３１に関して以上で記述された内容は、本実施形態によるコンテンツ印刷要請方法にも適用される。
【００６０】
１５１ステップで、モバイルデバイス３１は、ユーザーによりユーザーインターフェース３１２に入力された値によって、ＸＨＴＭＬ−ＰＲＩＮＴテンプレート保存部３１４に保存されたＸＨＴＭＬ−ＰＲＩＮＴテンプレートのうち、ユーザーが出力しようとするコンテンツレイアウトに対応するＸＨＴＭＬ−ＰＲＩＮＴテンプレートを選択することによって、ユーザーが出力しようとするレイアウトを決定する。
【００６１】
１５２ステップで、モバイルデバイス３１は、１５１ステップで選択されたＸＨＴＭＬ−ＰＲＩＮＴテンプレートに、ユーザーが指定したイメージのソース属性値を記録し、ＸＨＴＭＬ−ＰＲＩＮＴテンプレートに、ユーザーが入力したテキストを記録することによって、ＸＨＴＭＬ−ＰＲＩＮＴ文書のコンテンツを決定する。
【００６２】
１５３ステップで、モバイルデバイス３１は、ユーザーによりユーザーインターフェース３１２に入力された値によって、１５２ステップで決定されたコンテンツを表すＸＨＴＭＬ−ＰＲＩＮＴ文書のスタイル属性値を調整し、ユーザーが出力しようとするコンテンツを表すＸＨＴＭＬ−ＰＲＩＮＴ文書を生成する。
【００６３】
１５４ステップで、モバイルデバイス３１は、１５３ステップで調整されたスタイルを持つＸＨＴＭＬ−ＰＲＩＮＴ文書を利用して、プリンタ３２に伝送するデータを固定部分及び変動部分に分離して生成する。
【００６４】
１５５ステップで、モバイルデバイス３１は、１５４ステップで生成された伝送データ、すなわち、分離して生成された固定部分及び変動部分をプリンタ３２に分けて伝送して、ユーザーが出力しようとするマークアップ文書の印刷を要請する。
【００６５】
１５６ステップで、モバイルデバイス３１は、プリンタ３２に伝送するデータ全体に対して固定部分及び変動部分が生成されて伝送された場合には終了し、そうでない場合には１５４ステップに戻る。
【００６６】
図１６は、本発明の望ましい一実施形態によるコンテンツ印刷方法のフローチャートである。
【００６７】
図１６を参照すれば、本実施形態によるコンテンツ印刷方法は、図３に示したプリンタ３２で時系列的に処理されるステップで構成される。したがって、以下省略された内容であっても、図３に示したプリンタ３２に関して以上で記述された内容は、本実施形態によるコンテンツ印刷方法にも適用される。
【００６８】
１６１ステップで、プリンタ３２は、モバイルデバイス３１からＸＨＴＭＬ−ＰＲＩＮＴ文書を含むＭＩＭＥ−Ｍｕｌｔｉｐｌｅｘｅｄ形態のデータに含まれた固定部分及び変動部分をそれぞれ受信するか、ＸＨＴＭＬ−ＰＲＩＮＴ文書に含まれた固定部分及び変動部分を受信する。
【００６９】
１６２ステップで、プリンタ３２は、受信部３２１を通じてモバイルデバイス３１から受信された固定部分及び変動部分を一つのＸＨＴＭＬ−ＰＲＩＮＴ文書として解析することによって、印刷エンジン３２３に出力できる形態のＸＨＴＭＬ−ＰＲＩＮＴ文書のレンダリングデータを生成する。
【００７０】
１６３ステップで、プリンタ３２は、１６２ステップで解析された結果であるＸＨＴＭＬ−ＰＲＩＮＴ文書のレンダリングデータを印刷用紙に印刷する。
【００７１】
一方、前述した本発明の実施形態はコンピュータで実行できるプログラムで作成可能であり、コンピュータで読み取り可能な記録媒体を利用して前記プログラムを動作させる汎用ディジタルコンピューターで具現できる。また、前述した本発明の実施形態で使われたデータの構造は、コンピュータで読み取り可能な記録媒体にいろいろな手段を通じて記録されうる。
【００７２】
前記コンピュータで読み取り可能な記録媒体は、マグネチック記録媒体（例えば、ＲＯＭ、フロッピー（登録商標）ディスク、ハードディスクなど）、光学的判読媒体（例えば、ＣＤ−ＲＯＭ、ＤＶＤなど）及びキャリアウェーブ（例えば、インターネットを通じた伝送）のような記録媒体を含む。
【図面の簡単な説明】
【００７３】
【図１】従来のモバイルデバイスを利用したコンテンツ印刷方法のフローチャートである。
【図２】従来の伝送データの生成過程を示す図面である。
【図３】本発明の望ましい一実施形態によるイメージ印刷システムの構成図である。
【図４】本発明の望ましい一実施形態によるＸＨＴＭＬ−ＰＲＩＮＴテンプレートの保存形態を示す図面である。
【図５】従来のＭＩＭＥ−Ｍｕｌｔｉｐｌｅｘｅｄ形態のＸＨＴＭＬ−ＰＲＩＮＴデータを示す図面である。
【図６】本発明の望ましい一実施形態によるＭＩＭＥ−Ｍｕｌｔｉｐｌｅｘｅｄ形態のテンプレートデータを示す図面である。
【図７】従来のシンプルＸＨＴＭＬ−ＰＲＩＮＴ文書を示す図面である。
【図８】本発明の望ましい一実施形態によるシンプルＸＨＴＭＬ−ＰＲＩＮＴテンプレートを示す図面である。
【図９】従来のＦｉｔ−Ｗｈｏｌｅ（ＭａｔｃｈＷｉｄｔｈ）ＰＲＩＮＴ形態のＸＨＴＭＬ−ＰＲＩＮＴ文書を示す図面である。
【図１０】本発明の望ましい一実施形態によるＦｉｔ−Ｗｈｏｌｅ（ＭａｔｃｈＷｉｄｔｈ）ＰＲＩＮＴ形態のＸＨＴＭＬ−ＰＲＩＮＴテンプレートを示す図面である。
【図１１】従来のＦｉｔ−ａｎｄＣｒｏｐ（Ｍａｔｃｈ Ｈｅｉｇｈｔ）ＰＲＩＮＴ形態のＸＨＴＭＬ−ＰＲＩＮＴ文書を示す図面である。
【図１２】本発明の望ましい一実施形態によるＦｉｔ−ａｎｄＣｒｏｐ（Ｍａｔｃｈ Ｈｅｉｇｈｔ）ＰＲＩＮＴ形態のＸＨＴＭＬ−ＰＲＩＮＴテンプレートを示す図面である。
【図１３】従来のＦｉｔ−ａｎｄＣｒｏｐ（Ｍａｔｃｈ Ｗｉｄｔｈ）ＰＲＩＮＴ形態のＸＨＴＭＬ−ＰＲＩＮＴ文書を示す図面である。
【図１４】本発明の望ましい一実施形態によるＦｉｔ−ａｎｄＣｒｏｐ（Ｍａｔｃｈ Ｗｉｄｔｈ）ＰＲＩＮＴ形態のＸＨＴＭＬ−ＰＲＩＮＴテンプレートを示す図面である。
【図１５】本発明の望ましい一実施形態によるコンテンツ印刷要請方法のフローチャートである。
【図１６】本発明の望ましい一実施形態によるコンテンツ印刷方法のフローチャートである。
【図１】
2009533748.tif 000003
【図２】
2009533748.tif 000004
【図３】
2009533748.tif 000005
【図４】
2009533748.tif 000006
【図５】
2009533748.tif 000007
【図６】
2009533748.tif 000008
【図７】
2009533748.tif 000009
【図８】
2009533748.tif 000010
【図９】
2009533748.tif 000011
【図１０】
2009533748.tif 000012
【図１１】
2009533748.tif 000013
【図１２】
2009533748.tif 000014
【図１３】
2009533748.tif 000015
【図１４】
2009533748.tif 000016
【図１５】
2009533748.tif 000017
【図１６】
2009533748.tif 000018
【国際調査報告】
2009533748.tif 000019
2009533748.tif 000020